(57)【要約】【課題】記録媒体の案内部への貼り付きと、記録媒体の定着部材への貼り付きと、を抑制する。【解決手段】画像形成装置は、転写電圧が印加されることで記録媒体に画像を転写しつつ、該記録媒体を搬送する転写部と、転写された前記画像を前記記録媒体に定着する定着部材と、前記定着部材とで前記記録媒体を挟む挟み部を形成し、導電性を有する導電性部材と、前記転写部と前記挟み部との間に配置され、前記転写部によって搬送されている前記記録媒体の先端を前記挟み部へ案内し、導電性を有する案内部と、前記転写部が搬送する記録媒体が前記挟み部に導入された後に、導入される前よりも大きい転写電圧を前記転写部に印加する印加部と、を備える。【選択図】図２
2017122750.tif 000002
【特許請求の範囲】
【請求項１】
転写電圧が印加されることで記録媒体に画像を転写しつつ、該記録媒体を搬送する転写部と、
転写された前記画像を前記記録媒体に定着する定着部材と、
前記定着部材とで前記記録媒体を挟む挟み部を形成し、導電性を有する導電性部材と、
前記転写部と前記挟み部との間に配置され、前記転写部によって搬送されている前記記録媒体の先端を前記挟み部へ案内し、導電性を有する案内部と、
前記転写部が搬送する記録媒体が前記挟み部に導入された後に、導入される前よりも大きい転写電圧を前記転写部に印加する印加部と、
を備える画像形成装置。
【請求項２】
前記印加部は、
前記画像形成装置の装置本体に設けられた検出部が予め定められた値よりも高い湿度を検出した場合、又は、検出部が予め定められた値よりも高い前記記録媒体の含水率を検出した場合において、
前記転写部が搬送する記録媒体が前記挟み部に導入された後に、導入される前よりも大きい転写電圧を前記転写部に印加する
請求項１に記載の画像形成装置。
【請求項３】
前記印加部は、
前記画像形成装置の装置本体に設けられた検出部が予め定められた値以下の湿度を検出した場合、又は、検出部が予め定められた値以下の前記記録媒体の含水率を検出した場合において、
前記転写部が搬送する記録媒体が前記挟み部に導入される前後で、同じ大きさの転写電圧を前記転写部に印加する
請求項２に記載の画像形成装置。
【発明の詳細な説明】
【技術分野】
【０００１】
本発明は、画像形成装置に関する。
【背景技術】
【０００２】
特許文献１には、加熱ロールと、記録媒体を挟む定着ニップを加熱ロールとで形成する加圧ベルトと、定着ニップに記録媒体を案内するインレットシュートと、を備える定着装置が開示されている。
【先行技術文献】
【特許文献】
【０００３】
【特許文献１】特開２０１３−２３８８９６号公報
【発明の概要】
【発明が解決しようとする課題】
【０００４】
加熱ロール等の定着部材と加圧ロール等とで記録媒体を挟む挟み部（定着ニップ）へ、インレットシュート等の案内部で記録媒体を案内する構成では、記録媒体の後端側が転写ニップに挟まれた状態で、記録媒体の先端部が、案内部や定着部材に接触する場合がある。
【０００５】
この場合では、転写ニップでの転写電圧の印加によって発生する静電力で、記録媒体の先端部が案内部に貼り付いたり、当該静電力や画像（トナー）の粘着力によって、記録媒体の先端部が定着部材に貼り付いたりする場合がある。
【０００６】
本発明は、記録媒体の先端部が挟み部に導入されるタイミングに関わらず一定の転写電圧を転写部に印加する構成に比べ、記録媒体の案内部への貼り付きと、記録媒体の定着部材への貼り付きと、を抑制することを目的とする。
【課題を解決するための手段】
【０００７】
請求項１の発明は、転写電圧が印加されることで記録媒体に画像を転写しつつ、該記録媒体を搬送する転写部と、転写された前記画像を前記記録媒体に定着する定着部材と、前記定着部材とで前記記録媒体を挟む挟み部を形成し、導電性を有する導電性部材と、前記転写部と前記挟み部との間に配置され、前記転写部によって搬送されている前記記録媒体の先端を前記挟み部へ案内し、導電性を有する案内部と、前記転写部が搬送する記録媒体が前記挟み部に導入された後に、導入される前よりも大きい転写電圧を前記転写部に印加する印加部と、を備える。
【０００８】
請求項２の発明では、前記印加部は、前記画像形成装置の装置本体に設けられた検出部が予め定められた値よりも高い湿度を検出した場合、又は、検出部が予め定められた値よりも高い前記記録媒体の含水率を検出した場合において、前記転写部が搬送する記録媒体が前記挟み部に導入された後に、導入される前よりも大きい転写電圧を前記転写部に印加する。
【０００９】
請求項３の発明では、前記印加部は、前記画像形成装置の装置本体に設けられた検出部が予め定められた値以下の湿度を検出した場合、又は、検出部が予め定められた値以下の前記記録媒体の含水率を検出した場合において、前記転写部が搬送する記録媒体が前記挟み部に導入される前後で、同じ大きさの転写電圧を前記転写部に印加する。
【発明の効果】
【００１０】
本発明の請求項１の構成によれば、記録媒体の先端部が挟み部に導入されるタイミングに関わらず一定の転写電圧を転写部に印加する構成に比べ、記録媒体の案内部への貼り付きと、記録媒体の定着部材への貼り付きと、を抑制できる。
【００１１】
本発明の請求項２の構成によれば、検出部の検出結果に関わらず、記録媒体が挟み部に導入された後に導入される前よりも大きい転写電圧を転写部に印加する構成に比べ、案内部及び定着部材への記録媒体の貼り付きが生じにくい条件において、転写電圧の不要な制御を省略できる。
【００１２】
本発明の請求項３の構成によれば、画像形成装置の装置本体に設けられた検出部が予め定められた値以下の湿度を検出した場合、又は、検出部が予め定められた値以下の記録媒体の含水率を検出した場合においても、記録媒体が挟み部に導入された後に導入される前よりも大きい転写電圧を転写部に印加する構成に比べ、案内部及び定着部材への記録媒体の貼り付きが生じにくい条件において、転写電圧の大きさを変えることによる画像の転写ムラを抑制できる。
【図面の簡単な説明】
【００１３】
【図１】本実施形態に係る画像形成装置の構成を示す概略図である。
【図２】本実施形態に係る画像形成装置の構成の一部を拡大して示す概略図である。
【図３】本実施形態に係る画像形成装置において、記録媒体の先端部が定着ニップで挟まれた状態を示す概略図である。
【図４】比較例において記録媒体がシュートに貼り付いて詰り（ジャム）が生じた状態を示す概略図である。
【図５】比較例において記録媒体が定着ロールに貼り付いた状態を示す概略図である。
【図６】本実施形態に係る画像形成装置において、記録媒体が定着ロールから剥離された状態を示す概略図である。
【発明を実施するための形態】
【００１４】
以下に、本発明に係る実施形態の一例を図面に基づき説明する。
（画像形成装置１０）
まず、画像形成装置１０の構成を説明する。図１は、画像形成装置１０の構成を示す概略図である。
【００１５】
画像形成装置１０は、図１に示されるように、各構成部品が内部に収容される画像形成装置本体１１（筐体）を備えている。画像形成装置本体１１の内部には、用紙等の記録媒体Ｐが収容される収容部１２と、記録媒体Ｐに画像を形成する画像形成部１４と、記録媒体Ｐに形成された画像を記録媒体Ｐに定着する定着装置６０と、が設けられている。画像形成装置本体１１の内部には、さらに、収容部１２から画像形成部１４へ記録媒体Ｐを搬送する搬送部１６と、画像形成装置１０の各部の動作を制御する制御部２０と、が設けられている。また、画像形成装置本体１１の上部には、定着装置６０によって画像が定着された記録媒体Ｐが排出される排出部１８が設けられている。
【００１６】
画像形成部１４は、イエロー（Ｙ）、マゼンタ（Ｍ）、シアン（Ｃ）、ブラック（Ｋ）の各色のトナー画像を形成する形成部としての画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４（転写体）と、を備えている。さらに、画像形成部１４は、各画像形成ユニット２２Ｙ〜２２Ｋで形成されたトナー画像を中間転写ベルト２４に転写する一次転写ロール２６と、一次転写ロール２６によって中間転写ベルト２４に転写されたトナー画像を中間転写ベルト２４から記録媒体Ｐへ転写する二次転写ロール２８と、を備えている。なお、画像形成部１４は、上記の構成に限られず、他の構成であっても良く、記録媒体Ｐに画像を形成するものであればよい。
【００１７】
画像形成ユニット２２Ｙ〜２２Ｋは、水平方向に対して傾斜した状態で、画像形成装置本体１１の内部に配置されている。また、画像形成ユニット２２Ｙ〜２２Ｋは、一方向（例えば、図１における反時計回り方向）へ回転する感光体３２をそれぞれ有している。なお、各画像形成ユニット２２Ｙ〜２２Ｋは、同様に構成されているので、図１において、画像形成ユニット２２Ｍ、２２Ｃ、２２Ｋにおける各部の符号を省略している。
【００１８】
各感光体３２の周囲には、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、が設けられている。
【００１９】
露光装置３６は、制御部２０から送られた画像信号に基づき静電潜像を形成するようになっている。制御部２０から送られる画像信号としては、例えば、制御部２０が外部装置から取得した画像信号がある。
【００２０】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００２１】
中間転写ベルト２４は、環状に形成されると共に、画像形成ユニット２２Ｙ〜２２Ｋの上側に配置されている。中間転写ベルト２４の内周側には、中間転写ベルト２４が巻き掛けられる巻掛ロール４２、４３、４４が設けられている。中間転写ベルト２４は、例えば、巻掛ロール４４が回転駆動することによって、感光体３２と接触しながら一方向（例えば、図１における時計回り方向）へ周回（回転）するようになっている。なお、巻掛ロール４２は、二次転写ロール２８に対向する対向ロールとされている。
【００２２】
一次転写ロール２６は、中間転写ベルト２４を挟んで感光体３２に対向している。一次転写ロール２６と感光体３２との間が、感光体３２に形成されたトナー画像が中間転写ベルト２４に転写される一次転写位置とされている。
【００２３】
そして、一次転写ロール２６には、トナー極性とは逆極性の一次転写電圧（一次転写電流）が印加されるようになっている。これにより、感光体３２と一次転写ロール２６との間に一次転写電界が形成されて、感光体３２に形成されたトナー画像に対して静電力が作用し、当該トナー画像が一次転写位置で中間転写ベルト２４に転写される。
【００２４】
二次転写ロール２８は、中間転写ベルト２４を挟んで巻掛ロール４２に対向している。二次転写ロール２８と巻掛ロール４２との間が、中間転写ベルト２４に転写されたトナー画像が記録媒体Ｐに転写される二次転写位置とされている。
【００２５】
二次転写ロール２８は、中間転写ベルト２４（巻掛ロール４２）とで記録媒体Ｐを挟む転写ニップ９０Ｎ（挟み部）を形成している。二次転写ロール２８は、例えば、周回する中間転写ベルト２４に従動して回転する。そして、二次転写ロール２８は、転写ニップ９０Ｎに導入された記録媒体Ｐを中間転写ベルト２４（巻掛ロール４２）とで挟んで、回転することで、記録媒体Ｐを搬送する。
【００２６】
なお、二次転写ロール２８は、回転駆動される構成であってもよく、回転する構成であればよい。
【００２７】
また、図２に示されるように、巻掛ロール４２にトナー極性と同極性の二次転写電圧（二次転写電流）が給電部９２（印加部の一例）によって印加されるようになっている。これにより、巻掛ロール４２と二次転写ロール２８との間に二次転写電界が形成されて、中間転写ベルト２４のトナー画像に対して静電力が作用し、当該トナー画像が二次転写位置で記録媒体Ｐに転写される。
【００２８】
このように、記録媒体Ｐにトナー画像を転写しつつ記録媒体Ｐが搬送する転写部９０（転写部の一例）が、二次転写ロール２８、巻掛ロール４２及び中間転写ベルト２４によって構成されている。
【００２９】
図１に示されるように、搬送部１６は、収容部１２に収容された記録媒体Ｐを送り出す送出ロール４６と、送出ロール４６に送り出された記録媒体Ｐが搬送される搬送路４８と、送出ロール４６によって送り出された記録媒体Ｐを下流側へ搬送する搬送ロール５０と、搬送ロール５０によって搬送された記録媒体Ｐを二次転写位置へ搬送する搬送ロール５３と、を有している。
【００３０】
定着装置６０は、二次転写位置に対する搬送方向下流側に配置されている。定着装置６０は、定着ロール６２（定着部材の一例）と加圧ベルト６４（導電性部材の一例）とで記録媒体Ｐを挟む定着ニップ６０Ｎ（挟み部の一例）を形成している。
【００３１】
加圧ベルト６４は、金属ベルトで構成されており、導電性を有している。なお、加圧ベルト６４は、少なくとも定着ロール６２よりも高い導電性を有している。定着装置６０では、定着ロール６２による加熱と、加圧ベルト６４による加圧とによって、中間転写ベルト２４から記録媒体Ｐに転写されたトナー画像を記録媒体Ｐに定着する。
【００３２】
なお、定着ロール６２は、図２に示されるように、金属ロール６２Ａの外周に樹脂層６２Ｂが被覆されて構成されている。金属ロール６２Ａは、接地されている。また、定着ニップ６０Ｎに対する搬送方向下流側には、定着ロール６２に付着した記録媒体Ｐを剥離する剥離爪６８（剥離部）が設けられている。
【００３３】
次に、本実施形態に係る画像形成装置１０における、記録媒体Ｐへ画像を形成する画像形成動作について説明する。
【００３４】
本実施形態に係る画像形成装置１０では、収容部１２から送出ロール４６によって送り出された記録媒体Ｐが、搬送ロール５３によって二次転写位置へ送り込まれる（図１参照）。
【００３５】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、一次転写位置にて中間転写ベルト２４に転写されて、カラー画像が形成される。そして、中間転写ベルト２４に形成されたカラー画像が、二次転写位置にて記録媒体Ｐへ転写される。
【００３６】
トナー画像が転写された記録媒体Ｐは、定着装置６０へ搬送され、転写されたトナー画像が定着装置６０により定着される。トナー画像が定着された記録媒体Ｐは、搬送ロール５２によって排出部１８に排出される。以上のように、一連の画像形成動作が行われる。
【００３７】
（要部構成）
本実施形態では、定着ニップ６０Ｎ（定着装置６０）と転写ニップ９０Ｎ（転写部９０）との間には、転写部９０を構成する二次転写ロール２８及び中間転写ベルト２４によって搬送されている記録媒体Ｐの先端を定着ニップ６０Ｎへ案内するシュート７０（案内部の一例）が配置されている。
【００３８】
シュート７０は、例えば、金属製とされており、導電性を有している。なお、シュート７０を樹脂製とすると、シュート７０との擦れにより記録媒体Ｐが摩擦帯電を生じて、トナー画像のトナーに影響を与えるおそれがあるため、シュート７０は金属製とされている。また、シュート７０は、図２に示されるように、接地されている。なお、本実施形態において、導電性とは、２０℃における体積抵抗率が１０１0Ωｃｍ以下であることを意味する。
【００３９】
また、本実施形態では、搬送路４８における転写ニップ９０Ｎからシュート７０までの距離、及び搬送路４８における転写ニップ９０Ｎから定着ニップ６０Ｎまでの距離が、例えば、使用される記録媒体Ｐの搬送方向に沿った最小長さ（例えば、Ａ４）よりも短くなっている。
【００４０】
これにより、図２に示されるように、記録媒体Ｐの先端部がシュート７０に接触している状態において、記録媒体Ｐにおける当該先端部よりも後端側の部分が転写ニップ９０Ｎで挟まれた状態となる。また、図３に示されるように、記録媒体Ｐの先端部が定着ニップ６０Ｎに挟まれた状態において、記録媒体Ｐにおける当該先端部よりも後端側の部分が転写ニップ９０Ｎで挟まれた状態となる。
【００４１】
さらに、本実施形態では、図１及び図２に示されるように、記録媒体Ｐの先端部を検出する検出センサ８５が、定着ニップ６０Ｎ（定着装置６０）と転写ニップ９０Ｎ（転写部９０）との間に配置されている。
【００４２】
また、図１に示されるように、記録媒体Ｐの含水率（以下、媒体含水率という）を検出する含水率センサ８９（検出部の一例）が、画像形成装置本体１１の内部に設けられている。
【００４３】
含水率センサ８９は、例えば、記録媒体Ｐの電気抵抗値を測定し、当該電気抵抗値を含水率に換算して、媒体含水率を求める。また、含水率センサ８９は、例えば、図１に示されるように、収容部１２に配置されている。すなわち、含水率センサ８９は、シュート７０に搬送される前の記録媒体Ｐの媒体含水率を検出する。媒体含水率は、記録媒体Ｐの質量を１００としたときの水分の質量である。なお、含水率センサ８９は、収容部１２に配置される場合に限られるものではなく、搬送路４８におけるシュート７０の上流側に配置されていればよい。
【００４４】
検出センサ８５及び含水率センサ８９は、制御部２０に接続されている。これにより、検出センサ８５が記録媒体Ｐの先端部を検出した情報、及び、含水率センサ８９が検出した媒体含水率の情報が制御部２０に送られる。
【００４５】
制御部２０は、検出センサ８５が記録媒体Ｐの先端部を検出する位置から定着ニップ６０Ｎに到達する時間が、記録媒体Ｐの搬送速度から既知となっている。制御部２０は、検出センサ８５が記録媒体Ｐの先端部を検出した情報から、定着ニップ６０Ｎに記録媒体Ｐの先端部が導入されるタイミングを把握する。
【００４６】
さらに、本実施形態では、給電部９２が、第一電圧値と、第一電圧値よりも大きい第二電圧値とのいずれかを、選択的に、転写電圧として巻掛ロール４２に印加可能に構成されている。そして、制御部２０は、取得した媒体含水率の検出結果に基づいて、給電部９２の動作を制御する。
【００４７】
具体的には、制御部２０は、取得した媒体含水率が予め定められた基準含水率（予め定められた値の一例）よりも高い場合に、給電部９２が巻掛ロール４２に印加する転写電圧を制御する。
【００４８】
制御部２０の制御により、給電部９２は、転写部９０（二次転写ロール２８及び中間転写ベルト２４）が搬送している記録媒体Ｐの先端部が、定着ニップ６０Ｎに導入される前において、第一電圧値の転写電圧を巻掛ロール４２に印加する。さらに、給電部９２は、転写部９０（二次転写ロール２８及び中間転写ベルト２４）が搬送している記録媒体Ｐの先端部が、定着ニップ６０Ｎに導入されると、第一電圧値よりも大きい第二電圧値の転写電圧を巻掛ロール４２に印加する。
【００４９】
このように、給電部９２は、転写部９０が搬送する記録媒体Ｐが定着ニップ６０Ｎに導入された後に、導入される前よりも大きい転写電圧を印加する。
【００５０】
また、本実施形態では、制御部２０は、媒体含水率が予め定められた基準含水率以下である場合には、給電部９２が巻掛ロール４２に印加する転写電圧を一定の電圧に制御する。
【００５１】
具体的には、制御部２０の制御により、給電部９２は、転写部９０（二次転写ロール２８及び中間転写ベルト２４）が搬送している記録媒体Ｐの先端部が、定着ニップ６０Ｎに導入される前後において、予め定められた電圧値の転写電圧を巻掛ロール４２に印加する。予め定められた電圧値としては、例えば、第一電圧値、第二電圧値、及び、第一電圧値及び第二電圧値と異なる電圧値（例えば、第一電圧値と第二電圧値との中間の値）が用いられる。
【００５２】
なお、第一電圧値及び第二電圧値は、トナー画像を記録媒体Ｐに転写する際にトナー画像に影響がでない転写電圧の電圧値の範囲内で設定される。例えば、当該範囲における最小値又は最小値近傍の値が第一電圧値とされ、当該範囲における最大値又は最大値近傍の値が第二電圧値とされる。具体的には、第一電圧値は、例えば、５００Ｖ以上１０００Ｖ未満の範囲で設定され、第二電圧値は、例えば、１０００Ｖ以上２０００Ｖ以下の範囲で設定される。
【００５３】
基準含水率は、第一電圧値及び第二電圧値の転写電圧において、巻掛ロール４２から記録媒体Ｐを介してシュート７０及び加圧ベルト６４に電流が流れ得る含水率に設定される。具体的には、基準含水率は、例えば、７．０％以上１１.０％以下の範囲で設定される。
【００５４】
（本実施形態に係る作用）
次に、本実施形態に係る作用を、第一比較例の構成及び第二比較例の構成に係る作用と比較して説明する。
【００５５】
第一比較例の構成及び第二比較例の構成では、例えば、媒体含水率、及び記録媒体Ｐの先端部が定着ニップ６０Ｎに導入されるタイミングに関わらず一定の転写電圧を巻掛ロール４２に印加する。第一比較例の構成では、例えば、一定の転写電圧の電圧値として、第一電圧値よりも高い前述の第二電圧値を用いる。第二比較例の構成では、例えば、一定の転写電圧の電圧値として、第一電圧値を用いる。
【００５６】
このように、第一比較例の構成によれば、記録媒体Ｐの先端部が定着ニップ６０Ｎに導入されるタイミングに関わらず、第一電圧値よりも大きい第二電圧値の転写電圧を巻掛ロール４２に印加する。したがって、第一比較例の構成では、記録媒体Ｐの先端部がシュート７０に接触し、且つ、記録媒体Ｐにおける当該先端部よりも後端側の部分が転写ニップ９０Ｎで挟まれた状態においても、第一電圧値よりも大きい第二電圧値の転写電圧が巻掛ロール４２に印加される。
【００５７】
これにより、媒体含水率が高い場合には、第一電圧値の転写電圧を印加する場合に比べ、巻掛ロール４２から記録媒体Ｐを介してシュート７０へ電流が流れやすい。シュート７０へ電流が流れると、静電力によって記録媒体Ｐの先端部がシュート７０に貼り付く場合がある。記録媒体Ｐの先端部がシュート７０に貼り付くと、図４に示されるように、記録媒体Ｐが詰り（ジャム）が発生する場合がある。
【００５８】
また、第二比較例の構成によれば、記録媒体Ｐの先端部が定着ニップ６０Ｎに導入されるタイミングに関わらず、第一電圧値の転写電圧を巻掛ロール４２に印加する。したがって、第二比較例の構成では、記録媒体Ｐの先端部が定着ニップ６０Ｎに挟まれ、且つ、記録媒体Ｐにおける当該先端部よりも後端側の部分が転写ニップ９０Ｎで挟まれた状態においても、第一電圧値の転写電圧が巻掛ロール４２に印加される。
【００５９】
これにより、媒体含水率が高い場合でも、第二電圧値の転写電圧を印加する場合に比べ、巻掛ロール４２から記録媒体Ｐを介して加圧ベルト６４へ電流が流れにくい。このため、加圧ベルト６４へ電流が流れることで記録媒体Ｐに作用する静電力が小さいか、当該静電力が記録媒体Ｐに作用せず、記録媒体Ｐの先端部は、図５に示されるように、トナー画像のトナーによる粘着力によって定着ロール６２に貼り付く場合がある。記録媒体Ｐの先端部が定着ロール６２に貼り付くと、剥離爪６８によっても記録媒体Ｐが剥離できずに、記録媒体Ｐが詰り（ジャム）が発生する場合がある。
【００６０】
これに対して、本実施形態では、制御部２０は、媒体含水率が予め定められた基準含水率（予め定められた値の一例）よりも高い場合に、給電部９２が巻掛ロール４２に印加する転写電圧を制御する。
【００６１】
制御部２０の制御により、給電部９２は、転写部９０（二次転写ロール２８及び中間転写ベルト２４）が搬送している記録媒体Ｐの先端部が、定着ニップ６０Ｎに導入される前において、第一電圧値の転写電圧を巻掛ロール４２に印加する。
【００６２】
これにより、第一比較例に比べ、巻掛ロール４２から記録媒体Ｐを介してシュート７０へ電流が流れにくい。シュート７０へ電流が流れることで生じる静電力が、記録媒体Ｐに作用せず、記録媒体Ｐの先端部のシュート７０への貼り付きが抑制される。これにより、シュート７０で発生する記録媒体Ｐの詰り（ジャム）が抑制され、記録媒体Ｐが適正に定着ニップ６０Ｎに搬送される。
【００６３】
さらに、本実施形態では、給電部９２は、転写部９０（二次転写ロール２８及び中間転写ベルト２４）が搬送している記録媒体Ｐの先端部が、定着ニップ６０Ｎに導入されると、第一電圧値よりも大きい第二電圧値の転写電圧を巻掛ロール４２に印加する。
【００６４】
これにより、第二比較例に比べ、巻掛ロール４２から記録媒体Ｐを介して加圧ベルト６４へ電流が流れやすい。加圧ベルト６４へ電流が流れると、静電力によって、トナーによる粘着力に対抗して、記録媒体Ｐの先端部が加圧ベルト６４へ引き寄せられる。これにより、記録媒体Ｐの先端部の定着ロール６２への貼り付きが抑制され、図６に示されるように、剥離爪６８によって記録媒体Ｐが適正に剥離される。このため、記録媒体Ｐの詰り（ジャム）が抑制される。
【００６５】
以上のように、本実施形態では、媒体含水率が予め定められた基準含水率（予め定められた値の一例）よりも高い場合に、給電部９２が、記録媒体Ｐの先端部が定着ニップ６０Ｎに導入された後に、導入される前よりも大きい転写電圧を巻掛ロール４２に印加する。
【００６６】
このため、媒体含水率に関わらず転写電圧の大きさを変える制御を実行する構成に比べ、シュート７０及び定着ロール６２への記録媒体Ｐの貼り付きが生じにくい条件において、不要な転写電圧の制御が省略可能となる。
【００６７】
また、本実施形態では、制御部２０は、媒体含水率が予め定められた基準含水率（予め定められた値の一例）以下である場合には、給電部９２が巻掛ロール４２に印加する転写電圧を一定の電圧に制御する。
【００６８】
具体的には、制御部２０の制御により、給電部９２は、転写部９０（二次転写ロール２８及び中間転写ベルト２４）が搬送している記録媒体Ｐの先端部が、定着ニップ６０Ｎに導入される前後において、予め定められた電圧値の転写電圧を巻掛ロール４２に印加する。
【００６９】
この構成では、媒体含水率が予め定められた基準含水率以下である場合においても、転写電圧の大きさを変える制御を実行する構成に比べ、シュート７０及び定着ロール６２への記録媒体Ｐの貼り付きが生じにくい条件において、転写電圧の大きさを変えることによる画像の転写ムラが抑制される。
【００７０】
（第一変形例）
本実施形態では、媒体含水率の検出結果に基づいて、給電部９２の動作を制御していたが、これに限られず、例えば、画像形成装置本体１１内の湿度（以下、装置内湿度という）を検出した検出結果に基づいて、給電部９２の動作を制御してもよい。
【００７１】
この構成では、装置内湿度を検出する湿度計８８（検出部の一例）が、画像形成装置本体１１の内部に設けられる。湿度計８８は、制御部２０に接続され、湿度計８８が検出した装置内湿度の情報が制御部２０に送られる。
【００７２】
制御部２０は、取得した装置内湿度が予め定められた基準湿度（予め定められた値の一例）よりも高い場合に、給電部９２が巻掛ロール４２に印加する転写電圧を制御する。
【００７３】
制御部２０の制御により、給電部９２は、転写部９０（二次転写ロール２８及び中間転写ベルト２４）が搬送している記録媒体Ｐの先端部が、定着ニップ６０Ｎに導入される前において、第一電圧値の転写電圧を巻掛ロール４２に印加する。さらに、給電部９２は、転写部９０（二次転写ロール２８及び中間転写ベルト２４）が搬送している記録媒体Ｐの先端部が、定着ニップ６０Ｎに導入されると、第一電圧値よりも大きい第二電圧値の転写電圧を巻掛ロール４２に印加する。
【００７４】
また、本実施形態では、制御部２０は、装置内湿度が予め定められた基準湿度以下である場合には、給電部９２が巻掛ロール４２に印加する転写電圧を一定の電圧に制御する。
【００７５】
具体的には、制御部２０の制御により、給電部９２は、転写部９０（二次転写ロール２８及び中間転写ベルト２４）が搬送している記録媒体Ｐの先端部が、定着ニップ６０Ｎに導入される前後において、予め定められた電圧値の転写電圧を巻掛ロール４２に印加する。予め定められた電圧値としては、例えば、第一電圧値、第二電圧値、及び、第一電圧値及び第二電圧値と異なる電圧値（例えば、第一電圧値と第二電圧値との中間の値）が用いられる。
【００７６】
なお、基準湿度は、第一電圧値及び第二電圧値の転写電圧において、巻掛ロール４２から記録媒体Ｐを介してシュート７０及び加圧ベルト６４に電流が流れ得る含水率に、記録媒体Ｐがなることが想定される湿度に設定される。具体的には、基準湿度は、例えば、７０％以上８５％以下の範囲で設定される。
【００７７】
（他の変形例）
前述の実施形態及び第１変形例では、媒体含水率や装置内湿度の検出結果に基づいて、給電部９２の動作を制御していたが、これに限られない。媒体含水率や装置内湿度に関わらず、給電部９２が巻掛ロール４２に印加する転写電圧の大きさを変える制御を実行してもよい。
【００７８】
また、本実施形態では、定着部材の一例として、定着ロール６２を用いたが、これに限られない。定着部材の一例としては、例えば、定着ベルトを用いてもよい。
【００７９】
また、本実施形態では、導電性部材の一例として、加圧ベルト６４を用いたが、これに限られない。導電性部材の一例としては、例えば、加圧ロールを用いてもよい。
【００８０】
本発明は、上記の実施形態に限るものではなく、その主旨を逸脱しない範囲内において種々の変形、変更、改良が可能である。例えば、上記に示した変形例は、適宜、複数を組み合わせて構成してもよい。
【符号の説明】
【００８１】
１０   画像形成装置
１１   画像形成装置本体（装置本体の一例）
６０Ｎ 定着ニップ（挟み部の一例）
６２   定着ロール（定着部材の一例）
６４   加圧ベルト（導電性部材の一例）
７０   シュート（案内部の一例）
８８   湿度計（検出部の一例）
８９   含水率センサ（検出部の一例）
９０   転写部
９２   給電部（印加部の一例）
Ｐ     記録媒体
【図１】
2017122750.tif 000003
【図２】
2017122750.tif 000004
【図３】
2017122750.tif 000005
【図４】
2017122750.tif 000006
【図５】
2017122750.tif 000007
【図６】
2017122750.tif 000008